(57)【要約】      （修正有）【課題】異物を含む移送体から異物を磁着除去するためのバーマグネットであり、磁着除去がほぼ完全に行われるペアシェイブ型バーマグネットを提供する。【解決手段】ペアシェイブ型バーマグネット１００は横断面形状が涙型のものからなり、その頂部には粉体の堆積がなく異物は磁着する。また、下方に行くに従って磁力が強くなりベース側は円形のため異物はこの円形部１に沿って送られ円形部１に磁着される。【選択図】図１
0003164152.tif 000002
【実用新案登録請求の範囲】
【請求項１】
鉄片等の異物を含み次工程側に送出される液体や粉体等の移送体の前記異物を磁着除去するためのバーマグネットであって、該バーマグネットはその横断面の形状が涙型からなることを特徴とするペアシェイブ型バーマグネット。
【請求項２】
前記涙型がベース側が円形で上方に向かって前記円形の外周に接する２本の稜線で囲まれる三角形状のものから形成されることを特徴とする請求項１に記載のペアシェイブ型バーマグネット。
【請求項３】
前記三角形状の底角が安息角よりも小さいことを特徴とする請求項２に記載のペアシェイブ型バーマグネット。
【考案の詳細な説明】
【技術分野】
【０００１】
本考案は、液体や粉体等の移送体の内に混在している鉄片等の異物を磁着除去するためのバーマグネットであり、特にその横断面が涙型のものからなるペアシェイブ型バーマグネットに関する。
【背景技術】
【０００２】
液体や粉体等の移送体の内部には鉄片等の異物が混在していることが多い。この異物は移送体が次工程側に送出される前に除去する必要があり、この手段として従来よりバーマグネットが使用されている。このバーマグネットとしては各種のものがあるが、例えば「特許文献１」の如きものが挙げられる。
【先行技術文献】
【特許文献】
【０００３】
【特許文献１】特開平８−１０６４２号（図１）
【考案の概要】
【考案が解決しようとする課題】
【０００４】
「特許文献１」の「特開平８−１０６４２号」の「バーマグネット及びマグネットフィルタ」はマグネット単体や極板を交互に配設してその中心部を連結シャフトで固定する棒体状のものからなるが、その横断面は円形のものからなる。
【０００５】
図４は円形断面のバーマグネット５における異物除去の状態を示す模式図である。粉体６と鉄片等の異物７を含む移送体８は図示のようにバーマグネット５の上方から落下して送られて来る。この異物７は原則的にはバーマグネット５の表面に磁着するものであるが実際上は図４に示すようにバーマグネット５の上面側に堆積している粉体６上に保持され異物７はバーマグネット５に磁着されないで図示のように落下して行くものが多い。そのため異物７の除去が不十分となる問題点がある。
【０００６】
図５は図４に示した異物７の除去形態を更に詳しく示したものである。図５において黒色のものは粉体６であり白色のものは異物７を示す。図５のように粉体６がバーマグネット５の上面側に堆積し異物７は殆どバーマグネット５に磁着しないで下方にそのまま送られる状態が示されている。
【０００７】
また、バーマグネット５は異物除去装置の内部に一本だけ配設されるものでなく、図６に示すように複数本配設されている。移送体８の中の異物７は粉体６がバーマグネットの上面側に堆積されない初期段階においてはバーマグネット５の上面に衝突するが、バーマグネット５が円形の場合は磁着しないではね上る状態が生じ、磁着されないでそのまま下方に落下して行く不具合が発生する。
【０００８】
図７は円形状ではないが本考案と横断面形状の異なるいくつかのバーマグネット５ａ，５ｂ，５ｃを示す。図７（ａ）のバーマグネット５ａは円形のバーマグネット５の上方に三角状の整流板９を設けたものであるが粉体６及び異物７はこの整流板９によって左右に分離された状態で下降し、バーマグネット５には殆ど磁着しない。
【０００９】
図７（ｂ）のバーマグネット５ｂは図８に示すような磁力分布を有するものであり、図示で弱と書かれている部分は磁力の弱い部分を示す。よって、図７（ｂ）に示すように異物７はバーマグネット５ｂに磁着しないでエッジに集中しながら流れに持って行かれる状態が発生し異物７の除去が行われにくい。
【００１０】
図７（ｃ）のバーマグネット５ｃはバーマグネット５ｂよりも流れに持って行かれにくいものであるが、やはりバーマグネット５ｃに異物７は磁着しないで粉体６の流れに沿ってそのまま落下して移送される。
【００１１】
本考案のペアシェイブ型バーマグネットは以上の問題点を解決するもので、異物の磁着除去が十分に行われ、移送される製品の品質の向上が図れ、閉塞もなく、清掃し易く、生産効率が向上するペアシェイブ型バーマグネットを提供することを目的とする。
【課題を解決するための手段】
【００１２】
本考案は、以上の目的を達成するために、請求項１の考案は、鉄片等の異物を含み次工程側に送出される液体や粉体等の移送体の前記異物を磁着除去するためのバーマグネットであって、該バーマグネットはその横断面の形状が涙型からなることを特徴とする。
【００１３】
また、請求項２の考案は、前記涙型がベース側が円形で上方に向かって前記円形の外周に接する２本の稜線で囲まれる三角形状のものから形成されることを特徴とする。
【００１４】
また、請求項３の考案は、前記三角形状の底角が安息角よりも小さいことを特徴とする。
【考案の効果】
【００１５】
本考案の請求項１のペアシェイブ型バーマグネットによれば、バーマグネットの横断面形状が涙型のため、移送体内の異物の磁着除去がほぼ完全に行われ、前記目的をほぼ完全に果すことができる。
【００１６】
また、本考案の請求項２のペアシェイブ型バーマグネットによれば、涙型の具体的な形状が明確化され他の形状のバーマグネットとの差異が明確になる。
【００１７】
また、本考案の請求項３のペアシェイブ型バーマグネットによれば、底角を安息角より小さくすることにより粉体や異物が稜線に沿ってほぼすべて移動し、異物除去がほぼ完全に行われる。
【図面の簡単な説明】
【００１８】
【図１】本考案のペアシェイブ型バーマグネットの横断面形状を示す平面図。
【図２】本考案のペアシェイブ型バーマグネットの磁力分布を示す横断面図。
【図３】本考案のペアシェイブ型バーマグネットの異物除去の状態を示す模式図。
【図４】従来のバーマグネットにおける異物除去の状態を示す模式図。
【図５】従来のバーマグネットにおける異物除去の状態を示す模式図。
【図６】従来のバーマグネットにおける異物除去の不具合の現象１つを示す模式図。
【図７】従来のバーマグネットと形状が相違するが本考案のバーマグネットとも異なる形状のバーマグネットにおける異物除去の状態を示す模式図（ａ），（ｂ），（ｃ）。
【図８】三角形状のバーマグネットにおける磁力分布を示す模式図。
【考案を実施するための形態】
【００１９】
以下、本考案のペアシェイブ型バーマグネットの実施の形態を図面を参照して詳述する。
図１は本考案のペアシェイブ型バーマグネット１００の横断面図である。ペアシェイブ型バーマグネット１００はこの横断面形状の棒体からなり、その棒体の構造は前記の「特許文献１」において説明したものと同様の形態のものからなる。
【００２０】
図１に示すようにペアシェイブ型バーマグネット１００の横断面形状は涙型のものからなり、具体的にはベース側が円形部１から形成され左右にこの円形部１の外周に接する二本の稜線２からなり稜線２，２で囲まれる部分がこのペアシェイブ型バーマグネット１００の横断面の頂部を形成し三角形状のものからなる。なお、頂部は本実施例ではアール部３が形成されているがこれに限定するものではない。
【００２１】
また、図１に示すように稜線２，２の延長線（一点鎖線で示す）と円形部１の底部に接する水平線４（一点鎖線で示す）との交角θは安息角よりも小さな角度からなるが、この条件は本考案において限定されるものではない。
【００２２】
ここで安息角とは技術用語であって事典によると次の内容のものからなる。
砥石、石炭、砂などの粉体を積み上げたとき、自発的に崩れることなく安定を保つとき、その斜面（稜線）の角度即ち底角を言う。表現を変えると、斜面に置かれたものが滑り出さずに留まることができるときの斜面の角度を言う。よって、摩擦係数によってこの角度は異なる。
本考案のペアシェイブ型バーマグネット１００においてこの安息角の概念を適用すると、交角θが安息角と同じかそれよりも大きい時は、稜線２上の物体（ここでは粉体５等）は稜線２上に留まって落下しない。逆に交角θが安息角より小さい場合には稜線２上の物体はすべて落下することになる。
本考案は、以上の理論に基づいて形成されたものであり、本考案のペアシェイブ型バーマグネット１００は三角状部の交角θが安息角より小さい点に１つの特徴を有するものである。
【００２３】
図２及び図３は本考案のペアシェイブ型バーマグネット１００による移送物８内の異物７の除去状態を説明するための図面である。
ペアシェイブ型バーマグネット１００は涙型のものからなるため磁力分布は図２のようになり頂部は磁力が弱いが粉体６の堆積がなく異物７は磁着される。また、下方に行くに従って磁力が強くなり、下方のベース側の円形部１の磁力が強いため異物７はこの円形に沿って移動して磁着される。
【００２４】
図３に示すように上方から送られて来た移送体８の異物７は粉体６の流れに邪魔されることなく、殆どのものがペアシェイブ型バーマグネット１００に磁着する。そのため下方に送出される移送体８内には異物７が殆ど存在しない結果となる。
【００２５】
本考案のペアシェイブ型バーマグネット１００は以上の説明のような構造と効果を有するものであるが、ペアシェイブ型バーマグネット１００の内容は以上の説明に限定されるものではなく、同一の技術的範疇のものが適用されることは勿論である。
【産業上の利用可能性】
【００２６】
本考案のペアシェイブ型バーマグネット１００は異物を除去する必要のあるすべての装置に適用可能であり、その利用範囲は極めて広い。
【符号の説明】
【００２７】
１      円形部
２      稜線
３      アール部
４      水平線
５      バーマグネット
５ａ    バーマグネット
５ｂ    バーマグネット
５ｃ    バーマグネット
６      粉体
７      異物
８      移送体
１００  ペアシェイブ型バーマグネット
【図１】
0003164152.tif 000003
【図２】
0003164152.tif 000004
【図３】
0003164152.tif 000005
【図４】
0003164152.tif 000006
【図５】
0003164152.tif 000007
【図６】
0003164152.tif 000008
【図７】
0003164152.tif 000009
【図８】
0003164152.tif 000010